(57)【要約】【課題】ゴミ箱の形状に関わらず装着が容易で、簡単な構造であり、ターゲットを交換可能なゴミ投入ターゲット板を提供する。【解決手段】ゴミ投入ターゲット板１０は、ゴミを投げ当てる目標となるターゲット２Ａと、ターゲット２Ａを着脱可能に支持する透明で板状の支持部４と、支持部４の下方に連結され、それ自体の弾性力でゴミ箱の内周面に沿って取り付けられる板状の取付部６とを備える。【選択図】図１
0003231809.tif 000002
【実用新案登録請求の範囲】
【請求項１】
ゴミを投げ当てる目標となるターゲットと、
前記ターゲットを着脱可能に支持する透明で板状の支持部と、
前記支持部の下方に連結され、それ自体の弾性力でゴミ箱の内周面に沿って取り付けられる板状の取付部とを備えるゴミ投入ターゲット板。
【請求項２】
前記支持部が、柔軟で、二重の透明板であり、前記取付け部が前記支持部と同じ材料から形成されていることを特徴とする請求項１に記載のゴミ投入ターゲット板。
【請求項３】
さらに、感圧センサと、当該感圧センサにより発光する発光装置または当該感圧センサにより音を発生する音発生装置を備えていることを特徴とする請求項１または２に記載のゴミ投入ターゲット板。
【請求項４】
前記支持部及び前記取付部は、互いに横方向にスライド可能な一枚の右板材と一枚の左板材から構成されていることを特徴とする請求項１〜３のいずれか一項に記載のゴミ投入ターゲット板。
【考案の詳細な説明】
【技術分野】
【０００１】
本考案は、紙くずなどのゴミを容易にゴミ箱に投げ入れることを可能にするとともに、ゴミの投げ入れをゲーム感覚で楽しめるようにしたゴミ箱用のターゲット板に関する。
【背景技術】
【０００２】
ゴミ箱や屑入れから離れた所にいるときに、紙屑などのゴミを丸めてゴミ箱や屑入れに投げ入れることがある。投げたゴミがゴミ箱に入れば、ある種の達成感を感じて嬉しいが、ゴミが入らなければ、ゴミを拾いに行かなければならないために手間がかかる。
【０００３】
特許文献１には、ゴミ箱に巻着し、ゴミ投入時のコントロールを定める目標的(ターゲット)の当て板が開示されている。当て板は的を備え、ゴミ箱の左右側面下部にバンドが固着され、バンドの先端に互いに着脱するための着脱具が設けられている。的を目掛けてゴミを投げつけて、ゴミが当て板に当るとゴミ箱内に落下する。
【先行技術文献】
【特許文献】
【０００４】
【特許文献１】特開２００１−３１５９０１号
【考案の概要】
【考案が解決しようとする課題】
【０００５】
特許文献１の当て板は、ゴミ箱に取り付ける際に、左右のバンドをゴミ箱の外側に巻き付けて、その先端の着脱具同士を結合することでゴミ箱に装着している。しかし、ゴミ箱の径が底に近づくに従って細くなるようなゴミ箱では、バンドがゴミ箱から落下し易くなる。このため、特許文献１の当て板では、フックを当て板の表面下部に取り付けている。しかし、フックを設けると、構造が複雑化し、製造コストがかかる。また、的のデザインについてはユーザーの好みに応じて簡単に変更できることが望ましい。
【０００６】
本考案は、上記の課題を解決することを主な目的とするものであり、ゴミ箱の形状に関わらず装着が容易で、簡単な構造であり、また、ユーザーが種々のデザインのターゲットに取り換えられるゴミ投入ターゲット板を提供することを目的とする。
【課題を解決するための手段】
【０００７】
本考案の態様に従えば、ゴミを投げ当てる目標となるターゲットと、
前記ターゲットを着脱可能に支持する透明で板状の支持部と、
前記支持部の下方に連結され、それ自体の弾性力でゴミ箱の内周面に沿って取り付けられる板状の取付部とを備えるゴミ投入ターゲット板が提供される。
【０００８】
本考案のゴミ投入ターゲット板において、前記板状支持部が、柔軟で、二重の透明板であり、前記取付部が前記支持部と同じ材料から形成されていてよい。
【０００９】
本考案のゴミ投入ターゲット板は、感圧センサと、当該感圧センサにより発光する発光装置または当該感圧センサにより音を発生する音発生装置を備えていてもよい。
【００１０】
本考案のゴミ投入ターゲット板において、前記支持部及び取付部は、互いに横方向にスライド可能な右板材と左板材から構成されていてもよい。
【考案の効果】
【００１１】
本考案のターゲット板は、ゴミをゴミ箱に入れ易くするとともに、ゴミ入れという行為を楽しませてくれる。支持部はターゲットを着脱可能に支持することができるので、ユーザーの好みのターゲットを装着することができる。また、取付部は弾性を有するのでゴミ箱の内側に挿入するだけでターゲット板をゴミ箱に装着でき、ゴミ箱の形状によりずれ落ちる心配もない。本考案によってゴミをゴミ箱に入れることを促し、それにより部屋にゴミを散らかさないことにも繋がる。本考案のターゲット板は、単純な構造で製造が容易である。
【図面の簡単な説明】
【００１２】
【図１】図１は、本考案の第１実施形態に係るゴミ投入ターゲット板１０の平面図である。
【図２】図２は、本考案の第１実施形態に係るゴミ投入ターゲット板１０がゴミ箱３２に装着された様子を示す概略図である。
【図３】図３は、本考案の第２実施形態に係るゴミ投入ターゲット板２０の平面図である。
【図４】図４は、本考案の第２実施形態に係るゴミ投入ターゲット板に装着される感圧センサデバイス１２のブロック図である。
【図５】図５（Ａ）は、本考案の第３実施形態に係るゴミ投入ターゲット板３０の右板材３４Ｒとの左板材３４Ｌの平面図であり、図５（Ｂ）はそれらの部材を互いに横方向にスライド可能に組み合わせた様子を示す図である。
【考案を実施するための形態】
【００１３】
＜第１実施形態＞
図１及び図２を参照して、本考案の第１実施形態について説明する。
【００１４】
図１に示すように、本考案のターゲット板１０は、ターゲット用紙２を支持するターゲット支持部４と、その下方に結合された取付部６を有する。ターゲット支持部４は、透明で長方形のアクリル板が二枚重ね合わされており、その間にターゲット用紙２が挿入されることでターゲット用紙２は支持されている。ターゲット用紙２には、多重環状のターゲット２Ａが印刷されている。ターゲット用紙２は、四角形や円形など任意な形状にすることができ、ターゲット用紙２そのものをターゲット２Ａにしてもよい。
【００１５】
取付部６は、支持部４よりも横幅の長い長方形のアクリル板から形成されており、支持部４の下方両側から横方向にはみ出すように支持部４に接着剤などで貼り付けられている。
【００１６】
支持部４の寸法は、特に制限されないが、横幅２０ｃｍ〜４０ｃｍ程度、長さ(縦方向長さ)が３０ｃｍ〜５０ｃｍ程度である。取付部６の寸法は、特に制限されないが、支持部４の横幅以上でよく、３０ｃｍ〜５０ｃｍ程度、長さは５ｃｍ〜１０ｃｍ程度である。アクリル板の厚さは、０．２ｍｍ〜１ｍｍ程度である。アクリル板の厚さを厚くすることにより、平板が屈曲したときに元に戻ろうとする弾性反発力が強くなる。これらの寸法は、使用するゴミ箱の大きさや形状により適宜選択される。一具体例として、厚さ０．５ｍｍのアクリル板を用いたときには、支持部４は前述の通り二枚のアクリル板を重ね合わせているために支持部４の厚さが１．０ｍｍとなり、また、取付部６の支持部４と重なっている部分の厚さは１．５ｍｍとなる。
【００１７】
次に、ターゲット板１０を使用するには、取付部６を筒状に湾曲させてゴミ箱３２に挿入する。このとき、図２に示すように、支持部４まではゴミ箱３２の内部に入れずに、ゴミ箱３２の開口３２Ａの上方に位置するようにする。アクリル板は弾性（可撓性）を有するので、取付部６は湾曲された状態から元の平板状に戻ろうとする弾性反発力によりゴミ箱３２の内周に沿って密着する。こうして、ターゲット板１０が取付部６によりゴミ箱３２に取り付けられ、支持部４は透明であるので、ゴミ箱３２の開口部３２Ａの上方にターゲット２Ａが浮いているように見える。
【００１８】
ユーザーは、ゴミ箱３２から離れた場所で、紙くずなどのゴミを丸めてターゲットをめがけて投げる。ゴミが支持部４に当たると、ゴミ箱内に落下する。ターゲット支持部４はゴミを受け止める働きをするので、ターゲット板１０が無いときに比べて、ゴミを投げ入れ易くなる。
【００１９】
また、ゴミの投げ入れを通じて、ターゲットにゴミを当てる遊びやゲームを楽しむことができる。すなわち、本考案によってゴミをゴミ箱に入れることを動機付け、それにより部屋にゴミが散らからなくなる。
【００２０】
＜第２実施形態＞
次に、図３を参照して第２実施形態のゴミ投入ターゲット板２０を説明する。図３に示したターゲット板２０は、支持部４の中央部に感圧センサデバイス１２を取り付けた以外は、第１実施形態のターゲット板１０と同様である。感圧センサデバイス１２は、支持部４の裏面の中央部に貼り付けられている。感圧センサデバイス１２は、図４に示すように、感圧センサ１４と、感圧センサ１４が圧力または衝撃を検知したときにメロディ音を発生する音発生装置１５を備える。音発生装置１５は、主に、スピーカー１８と、感圧センサ１４が圧力または衝撃を検知したときにスピーカーに制御信号を送る制御回路１６を有する。
【００２１】
ターゲット板２０は、このような感圧センサデバイス１２を備えることにより、ユーザーがゴミをターゲットに命中させることによりメロディが流れるため、ゴミの投げ入れがより一層楽しくなる。
【００２２】
感圧センサデバイス１２のスピーカー１８に代えて、あるいはスピーカー１８に加えてＬＥＤなどの発光素子を取り付けて、ユーザーがゴミをターゲットに的中させることにより発光素子を発光させてもよい。この場合、制御回路１６はスピーカー１８またはＬＥＤ、あるいはその両方に制御信号を送る。これによりターゲットにゴミを的中させたときに、視覚的な楽しみも増える。
【００２３】
第１及び第２実施形態では、ターゲット支持部４と取付部６は別体で互いに貼り合わせて連結されていたが、それらを一体にしてもよい。すなわち、取付部６を、ターゲット支持部４とともに、一枚または二枚(二重の)アクリル板から図１に示すような平面形状に切り抜いて作製してもよい。
【００２４】
＜第３実施形態＞
次に、図５（Ａ）及び（Ｂ）を参照して第３実施形態のターゲット板３０を説明する。ターゲット板３０は、左右略対称な一枚の右板材３４Ｒと一枚の左板材３４Ｌからなる。右板材３４Ｒと左板材３４Ｌは、いずれも、アクリル板のような可撓性の透明板である。右板材３４Ｒは右側支持部４Ｒと右側取付部６Ｒをそれぞれ上下に有し、左板材３４Ｌは左側支持部４Ｌと左側取付部６Ｌをそれぞれ上下に有する。左側支持部４Ｌの上端及び下端は、それぞれ、折り返されて横長のガイド（隙間）４Ｇを形成している。
【００２５】
ターゲット板３０を使用するときは、図５（Ｂ）に示すように右板材３４Ｒの上端と下端を左板材３４Ｌの上端と下端のガイド４Ｇにそれぞれ挿入することで、右側支持部４Ｒと左側支持部４Ｌを互いに、部分的にまたは全部を重ね合わせることができる。そして、右側支持部４Ｒと左側支持部４Ｌが重なる部分の間にターゲット用紙２２を挿入する。重ね合わせの程度は、ゴミ箱やターゲット２２Ａの大きさによって適宜調整することができる。例えば、図１に示すターゲット２Ａよりも横幅のあるターゲット２２Ａを用いる場合には、それを挟み込む支持部もより大きな面積を要するので、図５（Ｂ）のように部分的に重ね合わせる。ゴミ箱が大きい場合は、ゴミ箱に取り付けるための取付部６Ｒ,６Ｌはゴミ箱の大きな内周に沿わせる必要があるので、図５（Ｂ）のように部分的に重ね合わせることで、取付部の長さを長くすることができる。ゴミ箱やターゲットが小さいときは、右側支持部４Ｒと左側支持部４Ｌが完全に重なるようにそれらを互いにスライドしてもよい。支持部の面積が小さいとゴミが当たりにくくなるので、重ね合わせの度合いによりゴミの投げ入れゲームの難易度をコントロールすることもできる。
【００２６】
第３実施形態では、ガイドＧを使ってターゲット板の横幅を変化させることができたが、ターゲット板の縦方向の長さを変化可能にしてもよい。例えば、図１に示したターゲット板１０において、支持部４を構成する二枚のアクリル板を互いに上下にスライド可能となるようにする。このためには、一方のアクリル板の両側端に沿って一組のガイドＧを設け、これらのガイドＧに他方のアクリル板の両側端をそれぞれ挿入する。こうすることで、二枚のアクリル板の上下相対移動が可能となり、アクリル板間に挟まれるターゲットの大きさやターゲットの高さ位置を自在に調整することができる。
【００２７】
上記実施形態では、支持部４と取付部６をアクリル板から形成したが、それに限らず、ＰＥＴや塩化ビニルのように光透過性のあり、弾性を有する任意のプラスチック材料から構成してもよい。本考案において用語「透明」とは、光が部分的に透過する特性を意味し、いわゆる「半透明」と呼ばれる概念も含む。
【００２８】
上記実施形態では、支持部４は、アクリルのようなプラスチック板を二重に重ね合わせてその間にターゲット用紙を挟んだが、それに限らず、ターゲットを一枚の透明なプラスチックに貼り付けたり書き込んだりして支持してもよい。また、上記具体例では、ターゲットとして多重環が描かれていたが、人や動物の写真やキャラクターの漫画など任意のイメージやテキストを用いてもよい。
【００２９】
上記実施形態では、支持部や取付部は長方形状であったが、支持部がターゲットを支持することができ、取付部がゴミ箱の内周に沿って取付部の弾性反発力または付勢力で支持される形状であれば、楕円など任意の形状にし得る。また、ゴミ箱も横断面が円に限らず、楕円や多角形でも構わない。上記実施形態では、取付部は支持部の下方両側から横方向にはみ出すように支持部に貼り付けられていたが、支持部がゴミ箱の直径に対して十分な長さを有するのであれば、取付部は支持部と同じ横幅でもよい。すなわち、例えば四角形の一枚の（または二枚の重ね合わせた）プラスチックの板の上側を支持部とし、下側を取付部としてもよい。
【産業上の利用可能性】
【００３０】
本考案のターゲット板は、ゴミをゴミ箱に投げ入れ易くするとともに、ゴミ入れを通じて楽しめる遊戯具でもある。本考案によってゴミをゴミ箱に入れることを促し、それにより部屋にゴミを散らかさないことにも貢献する。
【符号の説明】
【００３１】
２、２２  ターゲット用紙
２Ａ、２２Ａ  ターゲット
４  支持部、４Ｒ  支持部右側、４Ｌ  支持部左側
６  取付部、６Ｒ  取付部右側、６Ｌ  取付部左側
１０、２０、３０  ターゲット板
１２  感圧センサデバイス、１４  感圧センサ、１６  制御回路
１８  スピーカー
４Ｇ  ガイド
３２  ゴミ箱、  ３４Ｒ  右板材、３４Ｌ  左板材
【図１】
0003231809.tif 000003
【図２】
0003231809.tif 000004
【図３】
0003231809.tif 000005
【図４】
0003231809.tif 000006
【図５】
0003231809.tif 000007